(57)【要約】  自己収納型ダンネージシステムは、箱が閉じたときには、最小限の空き空間を持つかまたは空き空間を全く持たないシート状の収納素材の補給品を受けるような大きさの箱を有している。箱は、フラップが協同して箱を閉じる一般に平坦な閉鎖位置と、閉鎖位置から離れた傾斜した動作位置との間で移動可能な一つまたはそれより多いフラップを有する。動作位置では、フラップの端は、箱の側壁によって規定される箱の開放側から離れた分配出口を規定する。分配出口は箱の開放側より小さく、それによって、収納素材が出口を通して箱から引かれるときに、傾斜したフラップが、収納素材を内方に集める形成部材として働き、収納素材が箱から引き抜かれるときに収納素材がしわくちゃになる。
2013518007.tif 000002
【特許請求の範囲】
【請求項１】
ダンネージシステムであって、上記ダンネージシステムは、収納素材を受ける容器を備え、
上記容器は、移動可能フラップが上記容器の開放側を少なくとも部分的に閉じる閉鎖位置と、上記閉鎖位置から外方に離れた動作位置との間で移動可能な、少なくとも一つの移動可能フラップを有し、
上記移動可能フラップが上記動作位置にあるとき、上記移動可能フラップは、上記容器の開放側の対応する寸法よりも小さい少なくとも一つの寸法を有する出口開口部の側面を規定することを特徴とするダンネージシステム。
【請求項２】
上記容器は、シート状の収納素材の補給品を含むようなサイズであり、
上記容器は、底壁と、底壁の各端から延びて、底壁とは反対側の開放側を有する、囲われた空間を規定する一つまたはそれより多い側壁と、側壁の底壁とは反対側の各端から延びる複数のフラップとを備え、
上記フラップは、上記出口開口部から離れた側壁の最上部において相対的に大きい入り口を有する集中シュートを規定し、上記出口開口部は入り口より相対的に小さく、
上記動作位置では、上記フラップは、上記出口開口部を通して上記容器から引き出されるシート状の収納素材を内方に集めてしわくちゃにすることを特徴とする請求項１に記載のダンネージシステム。
【請求項３】
動作位置では、フラップの遠心端が出口開口部を規定し、出口開口部は、容器の開放側の対応する寸法より小さい少なくとも一つの寸法を有し、
動作位置では、フラップは、出口開口部を通して容器から引き出されるシート状の収納素材を内方に集めてしわくちゃにすることを特徴とする請求項１または他の任意の請求項に記載のダンネージシステム。
【請求項４】
動作位置でフラップを固定する手段を備えたことを特徴とする請求項２または他の任意の請求項に記載のダンネージシステム。
【請求項５】
フラップが動作位置を超えて移動するのを防ぐ手段を備えたことを特徴とする請求項１または他の任意の請求項に記載のダンネージシステム。
【請求項６】
動作位置で各フラップが、隣接するフラップと結合することを特徴とする請求項２または他の任意の請求項に記載のダンネージシステム。
【請求項７】
一つのフラップがツメ部を有し、他の一つのフラップが、上記ツメ部を受けるような大きさのスロットを有していることを特徴とする請求項２または他の任意の請求項に記載のダンネージシステム。
【請求項８】
スロット部がツメ部より実質的に長く、
それによって、ツメ部をスロット部から取り外すことなく、フラップが、実質的に平坦な閉鎖位置と、動作位置との間で、移動できることを特徴とする請求項７または他の任意の請求項に記載のダンネージシステム。
【請求項９】
容器の側壁は、底壁に垂直であり、
フラップが閉鎖位置にあるとき、フラップは、側壁に垂直であることを特徴とする請求項２または他の任意の請求項に記載のダンネージシステム。
【請求項１０】
出口開口部は移動可能のフラップの遠心端により規定され、容器の開放側の開口部から出口開口部を離していることを特徴とする請求項１または他の任意の請求項に記載のダンネージシステム。
【請求項１１】
動作位置で、フラップが、傾斜した集中壁を規定することを特徴とする請求項１または他の任意の請求項に記載のダンネージシステム。
【請求項１２】
２つまたはそれより多いフラップが、フラップの２対を有し、
各フラップが、隣接壁に垂直な各壁から延び、
フラップの各対が、平行壁から延びることを特徴とする請求項１または他の任意の請求項に記載のダンネージシステム。
【請求項１３】
閉鎖位置で、フラップは互いに実質的に平行に延びることを特徴とする請求項１または他の任意の請求項に記載のダンネージシステム。
【請求項１４】
少なくとも一つのフラップは、ツメが延びて他のフラップのスロットで受け止められるようなテーパー形状を有することを特徴とする請求項１または他の任意の請求項に記載のダンネージシステム。
【請求項１５】
少なくとも一つのフラップは、フラップが動作位置にあるときに他のフラップのツメ部を受けて保持するような非直線のスロットを有することを特徴とする請求項１または他の任意の請求項に記載のダンネージシステム。
【請求項１６】
各フラップは、実質的に平坦な形状を有することを特徴とする請求項１または他の任意の請求項に記載のダンネージシステム。
【請求項１７】
動作位置への移動中に、移動可能のフラップが、出口開口部の少なくとも一つの寸法を増加させることを特徴とする請求項１または他の任意の請求項に記載のダンネージシステム。
【請求項１８】
容器が、
互いに対し相互に連結可能な複数のフラップであって、容器の開放側から出口開口部に向かってテーパー状の構造を形成する、フラップを有することを特徴とする請求項１または他の任意の請求項に記載のダンネージシステム。
【請求項１９】
容器の内部にシート状の収納素材の補給品を備え、
シート状の収納素材が幅寸法を有し、
容器が、収納素材の幅寸法と実質的に同じ幅寸法を有し、
容器がさらに、実質的に平坦な閉鎖位置で２つまたはそれより多いフラップによって閉じられた開放側を有し、
フラップが互いに結合され、
フラップは、
フラップが閉鎖位置から離れて、容器の開放側から離れた出口開口部を形成し、そこを通してしわくちゃの収納素材を分配するような、動作位置に移動可能であり、
開口部は、容器の幅寸法より小さい幅寸法を有することを特徴とする請求項１または他の任意の請求項に記載のダンネージシステム。
【請求項２０】
シート状の収納素材の補給品は、シート状の収納素材の、扇のように折り畳んだ積層物、または、ロールのうちの少なくとも一つを有していることを特徴とする請求項１または他の任意の請求項に記載のダンネージシステム。
【請求項２１】
補給品は、分配出口と一直線の縦軸を有する、シート状の収納素材のロールを有することを特徴とする請求項１または他の任意の請求項に記載のダンネージシステム。
【請求項２２】
開放側から離れたスロットを備え、
上記スロットは、容器の幅寸法に実質的に平行に延び、しわくちゃでない収納素材を引き抜くことを特徴とする請求項１または他の任意の請求項に記載のダンネージシステム。
【請求項２３】
相対的に密度のより低いダンネージ製品に変換されるシート状の収納素材の補給品であって、
容器と、
一般的に平行な折り目に沿ってそれ自身で扇のように折り畳まれるシート状の収納素材の積層物とを備え、
上記積層物が、上記収納素材において上記折り目に垂直な軸に対してそれ自身で折り畳まれ、
上記積層物が、上記容器によって、その折り畳まれた構造で維持されていることを特徴とする補給品。
【請求項２４】
積層物は、折り畳まれる前には、折り畳まれない幅寸法を有し、
収納素材は、幅寸法に一般的に平行な折り目を有し、
容器は、幅寸法を有し、
容器の幅は、積層物の折り畳まれない幅より小さいことを特徴とする請求項２３または請求項２３に従属する他の任意の請求項に記載の補給品。
【請求項２５】
積層物は、容器の内部に折り畳まれて、反転したＵ字形状を有することを特徴とする請求項２３または請求項２３に従属する他の任意の請求項に記載の補給品。
【請求項２６】
容器は、積層物が折り畳まれる容器内に延びる中央リブを有することを特徴とする請求項２３または請求項２３に従属する他の任意の請求項に記載の補給品。
【請求項２７】
ダンネージシステムであって、上記ダンネージシステムは、容器を備え、
上記容器は、平坦側を規定する最上部を有し、
上記最上部は、
上記容器の側面に垂直な閉鎖位置から、
上記最上部が動作位置に移動するときに、少なくとも一つの寸法において増加する出口開口部を上記最上部が規定する、外方に離れた動作位置へと、移動可能であることを特徴とするダンネージシステム。
【請求項２８】
梱包方法であって、
（ａ）容器の開口部を通してシート状の収納素材を引き出すステップであって、上記開口部は上記容器より小さく、シート状の収納素材は、上記開口部を通して引き出されるときにしわくちゃである、ステップと、
（ｂ）上記容器を反転させるステップと、
（ｃ）シート状の収納素材の幅と実質的に等しいかそれより大きい幅を有する、上記容器のスロットを通して、シート状の収納素材を引き出すステップであって、それによって、シート状の収納素材が、上記スロットを通して引き出されるときにしわくちゃでないままである、ステップと、を有することを特徴とする梱包方法。
【発明の詳細な説明】
【発明の詳細な説明】
【０００１】
本願は、２０１０年１月２５日出願の米国仮特許出願番号61/298,142、２０１０年７月９日出願の米国仮特許出願番号61/362,992、２０１０年７月９日出願の米国仮特許出願番号61/362,995の恩恵を主張し、これらはそれぞれ参照によりここに盛り込まれる。
【０００２】
〔発明の分野〕
本発明は、一般に、シート状の収納素材をダンネージ（ｄｕｎｎａｇｅ）製品に変換するダンネージ変換システムに関し、より詳細には、輸送のために物品を梱包するのに使用するための相対的に密度のより低いダンネージ製品へ変換されるシート状の収納素材の補給品のためのコンパクトで箱型の収納を提供するようなシステムに関する。
【０００３】
〔背景〕
一つまたはそれより多くの物品を段ボール箱などの容器でそれぞれ配置して輸送する処理において、梱包者は、典型的には、輸送される物品とともに輸送容器にある種のダンネージ素材を置く。ダンネージ素材は、部分的にあるいは完全に、容器内の物品の周りの空き空間すなわち空容積を満たす。空容積を満たすことによって、ダンネージは、輸送処理中、ダメージとなるような物品の移動を防ぐまたは最小限化する。いくつかの普通に使われるダンネージ素材は、発泡プラスチックピーナッツ、発泡プラスチックパック、エアバッグまたは変換紙ダンネージ素材である。
【０００４】
収納空間をより効果的に用いるために、梱包者により必要とされるときに、紙のロールまたは積層物などのような収納素材の補給品を、密度の低いダンネージ製品へと変換するためのダンネージ変換装置を用いることができる。例えば、米国特許No. 6,676,589は、連続的な紙シートを、空を満たすダンネージのしわくちゃ（ｃｒｕｍｐｌｅｄ）の片へと迅速に変換することができるダンネージ変換装置の例を開示している。
【０００５】
高いまたは中くらいの容積の適用には、このような能力のダンネージ変換器が十分適している。これらはまた、ときどき少量のダンネージが必要になるが通常はコストが高くなりすぎるような低容積の適用にも用いうる。このような能力の変換器は、いくらかかさ高く、またときにはメンテナンスや修理が必要になる。したがって、低容積への適用は、典型的には、発砲プラスチックのピーナッツや人の手でしわくちゃにした新聞紙などの、他の種類のダンネージによって目的を果たされてきた。発砲プラスチックのピーナッツは扱いにくく、収納されるときも、用いられるときと同じ容積を占める。しわくちゃにした新聞紙も扱いにくく、梱包者が人の手で新聞紙をしわくちゃにする必要がある。
【０００６】
米国特許5,131,903には、ダンネージをしわくちゃにして分配する他の装置が示されている。この装置は、フレームを保持する箱型のハウジングを有する。このフレームは、ハウジングの開口部と一般に一直線な紙ロールから、減少した寸法で波形の開口部を通して、シート紙を案内する、一対の傾斜側壁を有する。このような装置の問題点は、減少した幅の開口部が、開口部を囲む、横に延びた棚を形成するフレーム部材内にあることである。紙が開口部を通して引き出されると、紙がこの棚にひっかかる可能性があり、紙に意図しない破れが生じる恐れがある。他に認められている欠点は、しわくちゃの紙の部位が、あまり容易には、効率的かつ効果的に分離されないことである。さらに他の欠点は、紙ロールの置き換えが、相対的に難解な作業であり、ハウジングと内部フレームの分解が必要になることである。さらに他の欠点は、ハウジングに収納される紙の補給品と比べて、装置のサイズが相対的に大きく、かさばることである。この装置は、紙ロールによって占められていない箱型ハウジングの内部に空き空間を大量に有している。
【０００７】
〔発明の要約〕
本発明は、箱における自己収納型ダンネージシステムを提供する。箱は、箱が閉じたときには、最小限の空き空間を持つかまたは空き空間を全く持たないシート状の収納素材の補給品を受けられるような大きさである。さらに、箱は、フラップが協同して箱を閉じる一般に平坦な閉鎖位置と、閉鎖位置から離れた傾斜した動作位置との間で移動可能な一つまたはそれより多いフラップを有する。動作位置では、フラップの端は、箱の側壁によって規定される開放側から離れた分配出口を規定する。分配出口は容器の開放側より小さく、それによって、収納素材が分配出口を通して箱から引き出されるときに、傾斜したフラップが、収納素材を内方に集める形成部材として働き、収納素材が箱から引き抜かれるときに収納素材がしわくちゃになる。したがって、本発明は、収納素材の補給品を効率的に収納するとともに、箱から分配されるときに容易に収納素材を相対的に密度のより低いダンネージ製品に変換する構造へと変形されうるダンネージシステムを提供する。ある実施形態では、フラップは、フラップが協同して箱を閉じる一般的に平坦な閉鎖位置と、閉鎖位置から離れた傾斜した位置との間、また元の位置へと、組み立てや分解を要せずに移動可能である。
【０００８】
特に、本発明は、一般に、一つまたはそれより多くのフラップを有する容器を備えたダンネージシステムを提供し、フラップは、
容器の開放側を閉じる閉鎖位置と、
閉鎖位置から離れた位置であって、容器の開放側の対応する寸法より小さい少なくとも一つの寸法を有する出口開口部を規定する動作位置との間で移動可能である。好ましくは、出口開口部は、容器の開放側の幅より狭く、ここで、容器の開放側は容器の側壁によって規定され、開放側の幅は、容器がその収納素材に合わせた大きさとなっているシート状の収納素材の幅と実質的に類似している。
【０００９】
本発明はまた、シート状の収納素材の補給品を有するような大きさの容器を備えた、収納素材を相対的に密度のより低いダンネージ製品に変換するダンネージシステムを提供する。容器は、底壁と、底壁の各端から延びて、底壁とは反対側の開放側を有する、囲われた空間を規定する一つまたはそれより多い側壁と、側壁の底壁とは反対側の各端から延びる一つまたはそれより多いフラップとを備えている。フラップは、容器の開放側を閉じる閉鎖位置と、閉鎖位置から離れた位置であって、容器の開放側の対応する寸法より小さい少なくとも一つの寸法を有する出口開口部を規定する動作位置との間で移動可能であり、動作位置では、フラップは、出口開口部を通して容器から引き出されるシート状の収納素材を内方に集めてしわくちゃにする。フラップは、特に、動作位置では、互いに固定された関係で保持されてよい。ダンネージシステムはまた、例えば、シート状の収納素材の扇のように折り畳まれた積層物またはロールの形式で、容器の内部に含まれるシート状の収納素材の補給品を備えてもよい。
【００１０】
ある変換装置の欠点は、該装置が占める幅や空間の量であり、ある状況では、収納素材を供給してそれをダンネージ製品に変換するための、より狭いまたはより小さいシステムを提供するほうが望ましい。本発明はまた、より狭いフットプリントの内部の相対的に広いシート状の収納素材を含む収納素材の補給品を提供する。
【００１１】
特に、本発明は、相対的に密度のより低いダンネージ製品に変換するための、シート状の収納素材の補給品を提供する。補給品は、幅寸法と、この幅寸法に一般的に平行な折り目とを有する扇のように折り畳まれたシート状の収納素材の積層物と、この積層物を受ける容器とを備える。容器は、積層物の幅より小さい幅寸法を有し、積層物は、容器の内部に適合するように折り畳まれる。
【００１２】
本発明はまた、一つまたはそれより多くのフラップを有する箱を提供し、このフラップは、フラップが協同して箱を閉じる一般的に平坦な閉鎖位置と、閉鎖位置から離れた傾斜した位置との間、また元の位置へと、組み立てや分解を要せずに移動可能である。
【００１３】
動作位置では、フラップの端部は、開放側から離れた分配出口を規定し、開放側は、容器の側壁によって規定される。分配出口は、容器の開放側より小さく、それによって、収納素材が分配出口を通して容器から引き出されるときに、傾斜したフラップが、収納素材を内方に集める形成部材として働き、収納素材が容器から引き抜かれるときに収納素材がしわくちゃになる。容器はまた、フラップが動作位置を過ぎて開くのを防ぐ特徴を有する。フラップは、容器の側壁と一直線の位置またはそれを超える位置へ回転することを抑制されている。容器を再度収納するために、フラップは、フラップを下方に押すことによって、閉鎖位置へと押し戻されることができる。これは、隣接するフラップ同士の結合によって可能であり、これもまた抑制を提供する。このように、本発明は、収納素材の補給品を効率的に収納するとともに、容器から分配されるときに容易に収納素材を相対的に密度のより低いダンネージ製品に変換する構造へと変形されうるダンネージシステムを提供する。
【００１４】
さらに、容器は、反転されることができ、収納素材は、積層物の反対側から、開口部を通って、容器の底壁のほうへ、引き抜かれることができる。この開口部は、しわくちゃにすることなく収納素材を引き抜くために、収納素材とほぼ同じ幅を有する。
【００１５】
特に、本発明は、シート状の収納素材補給品を有する容器を備えたダンネージシステムを提供する。容器は、収納素材の幅寸法と実質的に同じ幅寸法と、実質的に平坦な閉鎖位置または構造において一つまたはそれより多くのフラップによって閉じられる開放側とを有する。フラップは、フラップが閉鎖位置から離れていて、容器の開放側から離れた出口開口部を形成し、その出口開口部を通して、しわくちゃの収納素材を分配する、動作位置または構造へ移動可能である。開口部は、容器の幅寸法より小さい幅寸法を有する。
【００１６】
本発明の一つまたはそれより多くの実施形態によって提供される他の特徴は、以下のものを含む：
（ａ）容器の開放側から離れたスロットであって、このスロットは、容器の幅寸法に実質的に平行に延び、しわくちゃでない収納素材を引き抜く；
（ｂ）動作位置では、フラップの遠心端が出口開口部を規定し、出口開口部は、容器の開放側の対応する寸法より小さい少なくとも一つの寸法を有し、動作位置では、フラップは、出口開口部を通して容器から引き出されるシート状の収納素材を内方に集めてしわくちゃにする；
（ｃ）フラップが動作位置を超えて移動するのを防ぐ手段、例えば、少なくとも一つのフラップが、他のフラップのスロット部と結合するツメ部を有し、スロット部がツメ部より実質的に長く、それによって、ツメ部をスロット部から取り外すことなく、フラップが、実質的に平坦な閉鎖位置と、動作位置との間で、移動できる；
（ｄ）各フラップが、隣接するフラップと結合する；
（ｅ）容器の側壁は、底壁に垂直であり、フラップが閉鎖位置にあるとき、フラップは、側壁に垂直である；
（ｆ）動作位置で、フラップが、傾斜した集中壁を規定する；
（ｇ）少なくとも一つのフラップは、フラップが動作位置にあるときに他のフラップのツメ部を受けて保持するような非直線のスロットを有する；
（ｈ）フラップは、出口開口部から離れた側壁の最上部において相対的に大きい入り口を有する集中シュートを規定し、出口開口部は入り口より相対的に小さい；および／または、
（ｉ）単層または複層のクラフト紙などの、扇のように折り畳まれたシート状の収納素材の補給品などの、容器の内部に含まれるシート状の収納素材の補給品。
【００１７】
本発明はまた、梱包方法であって、
（ａ）容器の開口部を通してシート状の収納素材を引き出すステップであって、上記開口部は上記容器より小さく、シート状の収納素材は、上記開口部を通して引き出されるときにしわくちゃである、ステップと、
（ｂ）上記容器を反転させるステップと、
（ｃ）シート状の収納素材の幅と実質的に等しいかそれより大きい幅を有する、上記容器のスロットを通して、シート状の収納素材を引き出すステップであって、それによって、シート状の収納素材が、上記スロットを通して引き出されるときにしわくちゃでないままである、ステップと、を有することを特徴とする梱包方法を提供する。
【００１８】
本発明の上記および他の特徴は、ここ以降に十分に記載され、特に、請求項、以下の本発明の詳細な実施形態に記載の記述、および添付の図面で示す。しかしながら、これらの実施形態は本発明の原理を採用できる種々の様態のうちのいくつかを説明しているにすぎない。
【００１９】
〔図面の簡単な説明〕
図１は、シート状の収納素材の補給品とともに動作する、本発明によって供給されるダンネージシステムの側面斜視図である。
【００２０】
図２は、コンパクトな、閉じた収納位置での図１のダンネージシステムの側面斜視図である。
【００２１】
図３は、シート状の収納素材の補給品を受ける準備が出来た開放状態の図１のダンネージシステムの末端斜視図である。
【００２２】
図４は、図３のダンネージシステムの側面斜視図である。
【００２３】
図５は、動作状態の図１のダンネージシステムの末端斜視図である。
【００２４】
図６は、図５のダンネージシステムの側面斜視図である。
【００２５】
図７は、ダンネージ製品への変換に適した、１層の、扇のように折り畳まれたシート状の収納素材の補給品の斜視図である。
【００２６】
図８は、本発明に係る、容器への挿入のために折り畳まれた図７のシート状の収納素材の補給品の斜視図である。
【００２７】
図９は、本発明に係る、容器内の折り畳まれたシート状の収納素材の補給品の横断面図である。
【００２８】
図１０は、内部で折り畳まれたシート状の収納素材を示すために容器の前壁がはずされた、本発明に係り提供されるダンネージシステムの斜視図である。
【００２９】
図１１は、シート状の収納素材の補給品を受けるために開放された容器を示す、本発明に係よって提供されるダンネージシステムの斜視図である。
【００３０】
図１２は、図１１のダンネージシステムの２つのフラップの間の結合形態の拡大図である。
【００３１】
図１３は、閉じた構造における図１１のダンネージシステムの斜視図である。
【００３２】
図１４は、動作構造における図１３のダンネージシステムの斜視図である。
【００３３】
図１５は、図１４の動作構造におけるツメとスロットの配置の拡大図である。
【００３４】
図１６は、図１３の閉じた構造におけるツメとスロットの配置の拡大図である。
【００３５】
図１７は、しわくちゃでない収納素材を引き抜くための、反転した構造における図１１のダンネージシステムの斜視図である。
【００３６】
〔詳細な説明〕
詳細な図面を参照して、本発明は、一般に、収納素材２２を相対的に密度のより低いダンネージ製品２４に変換するダンネージシステム２０を提供する。システム２０は、一つまたはそれより多くのフラップ、この場合には４つのフラップ３４、３５、３６、３７を有する箱すなわち容器３０を備える。フラップ３４、３５、３６、３７は、容器３０の開放側４０を閉じる閉鎖位置（図２）と、閉鎖位置から離れた動作位置（図１）との間で移動可能である。動作位置では、フラップ３４、３５、３６、３７は、容器３０の開放側４０の対応する寸法よりも小さい少なくとも一つの寸法を有する出口開口部４２を規定する。好ましくは、出口開口部すなわち出口４２は、容器３０の開放側４０の幅より狭い。収納素材は、一般に、収納素材の幅寸法を横切る方向に容器から引き抜かれる。容器３０の開放側４０は、容器３０の側壁４４によって規定され、容器３０の裏側すなわち底側４６と反対側である。
【００３７】
空き空間をエンドユーザに運搬するのは資源の非効率的な使い方であるため、開放側４０の長さと幅とは、容器３０がそれに合わせた大きさであるシート状の収納素材の長さと幅とに実質的に類似している。システム２０が、容器３０の内部にシート状の収納素材２２の補給品を有するときには、容器３０には、最小限の空き空間しか残らないか、全く空き空間が残らないようにすべきである。
【００３８】
補給品１３２は、紙、特にクラフト紙などの、単層または複層のシート状の収納素材２２を有する。収納素材２２は、示すように扇のように折り畳まれた積層物の形式や、個々のシートのロールの形式や積層物の形式で提供されることができる。もし個々のシートが用いられる場合は、個々のシートは、好ましくは、白紙を綴じ込み、また、十分な長さとし、積層物からリードシートを引き出すことで次から次へと尾を引くようになる。もし一つまたはそれより多くのロールが用いられる場合は、収納ロールは、適切な回転手段によって、容器で支持されるようにすることができ、それによって、収納素材は、ロールの外側から支払われるようにすることができる。代替の構成では、収納ロールは、ロールの一つまたはそれより多くの外側の部位で支持されるようにすることができ、それによって、収納素材は、ロールの中央または内側から引き抜かれるようにすることができる。
【００３９】
シート状の収納素材の種類や形式にかかわらず、好ましくは、収納素材は、長手方向に間隔が開いた、横切る方向に延びる切り取り線に沿って穴が開いているあるいは弱くなっており、しわくちゃの片からのダンネージの個々の部位の分離を可能化および／または容易化する。
【００４０】
示した実施形態の容器３０は、長方形であるが、他の形の容器も可能である。一般に、容器３０は、容器の空き空間を最小化するように、収納素材の補給品の形状に近づけるべきである。一例の容器３０は、段ボールでできているが、上記のような機能を容器３０が持てるような任意の素材が十分である。
【００４１】
容器３０の側壁４４は、底壁４６の各端から延びて、底壁４６とは反対側の開放側４０を有する、囲われた空間を規定する。一つまたはそれより多くのフラップ３４、３５、３６、３７は、側壁４４の底壁４６とは反対側の各端にヒンジで結合されている。各フラップ３４、３５、３６、３７は、実質的に平坦な形状を有し、隣接する側壁４４に垂直な各側壁４４から延びている。側壁４４は、底壁４６に垂直である。フラップ３４、３５、３６、３７が閉鎖位置にあるとき、フラップ３４、３５、３６、３７は、一般に、互いに同じ平面内にあるすなわち平行であり、側壁４４に垂直である。
【００４２】
動作位置では、フラップ３４、３５、３６、３７は、出口開口部４２を通して容器２０から引き出されるシート状の収納素材２２を内方に集めてしわくちゃにする傾斜した集中壁を規定する。言い換えれば、動作位置では、フラップ３４、３５、３６、３７は、出口４２から離れた側壁４４の最上部において相対的に大きい入り口を有する集中シュートを規定し、出口開口部は入り口より相対的に小さい。
【００４３】
出口開口部４２は、相対的に小さい面積を有するだけでなく、出口は、一般に、容器３０の開放側４０の幅よりも小さい幅を有する。容器３０の開放側４０の幅は、典型的には、シート状の収納素材の幅に厳密に対応し、それにより、出口の幅が、収納素材の幅より小さくなる。
【００４４】
フラップ３４、３５、３６、３７が内方で収納素材２２（図１）の横の部位を押し進めることを確実にするために、示された容器３０はまた、動作位置でフラップ３４、３５、３６、３７を固定する手段を備える。固定手段は、互いに固定されるようにフラップを捕らえて保持するのに役立って、それゆえ収納素材が出口４２を通して引き抜かれるときにフラップが動かないようにする、接着剤または接着テープなどの一つまたはそれより多くの化学素子、および、ストラップなどの機械素子、各フラップの協同素子、磁石、ストラップ、ホック・ループファスナー、スナップ、ピンなどを有する。種々の固定手段が当業者には明らかであるが、添付図面には一つの例を示している。
【００４５】
一つの実施形態では、動作位置でフラップ３４、３５、３６、３７を保持するために、ツメ・スロット構成が用いられる。少なくとも一つのフラップは、収納素材が出口４２から引き出されるときに、他のフラップのスロット部と結合してフラップを一緒に保持するツメ部を有する。図３および図４に示すように、フラップ３４、３５、３６、３７は、２対で構成される４つのフラップ、すなわち、相対的に長いほうの長方形のフラップ３５、３７の１対と、相対的に短いほうのフラップ３４、３６の１対とを有する。本実施形態における短いほうのフラップ３４、３６は、テーパー形状か、先端を切り取った三角形形状である。フラップ３４、３５、３６、３７の各対は、示した実施形態では、平行な側壁から延びる。短いほうのフラップ３４、３６のテーパー形状の端は、動作位置における、長いほうのフラップ３５、３７の傾斜した状態に対応している。
【００４６】
本実施形態では、耳すなわちツメ５２は、短いほうのフラップ３４、３６の傾斜した端から延び、長いほうのフラップ３５、３７における傾斜したスロット５４で受ける。ツメ５２は、長いほうのフラップ３５、３７を誇り（ｐｒｏｕｄ）とする状態にないように、ここで示しているものよりも短くしてもよいし、異なる方法で構成してもよい。さらに、長いほうのフラップ３５、３７の角５６もまた、短いほうのフラップ３４、３６における曲がったスロット５８で受けることができる、ツメ部またはツメとして機能することができる。図６に示すように、スロット５８の湾曲性と、フラップ３５、３７の相対的に平坦な自然状態とが、曲がったスロット５８が角５６を所定位置に保持するのに役立つ。ツメを受けてフラップ３４、３５、３６、３７を動作位置に保持するために、代わりに他の非直線形状のスロットを用いてもよい。このようにして、動作位置で、フラップ３４、３５、３６、３７は、隣接するフラップと結合する。摩擦だけでフラップ３４、３５、３６、３７を所定位置に保持するのに十分であるべきだが、動作位置でフラップ３４、３５、３６、３７をさらに保持するために、接着剤や他の留め具を用いることもできる。傾斜した、結合されたフラップ３４、３５、３６、３７は、容器３０に、ヒップタイプの屋根を持ったビルの外観を与える。
【００４７】
一旦フラップ３４、３５、３６、３７が動作位置に配置されると、フラップ３４、３５、３６、３７の一つまたはそれより多くの遠心端が、出口開口部４２を規定し、容器３０の開放側４０における開口部から、出口開口部４２までの間隔をあける。示した実施形態では４つのフラップ３４、３５、３６、３７が出口４２を規定しているが、本発明によって提供される他の実施形態では、一つだけまたは２つだけのフラップが出口開口部４２を規定してもよい。
【００４８】
示された容器３０（図２）は、実質的に長方形であり、エンドユーザへの効率的な輸送のために、容器の上に他の容器が載り、また、互いに近接して隣接するようなコンパクトな構造に、複数の容器を積層するのが容易になっている。容器３０は、閉鎖位置でのフラップ３４、３５、３６、３７のコンパクトな輸送構造から、動作位置でのフラップ３４、３５、３６、３７の、それよりもコンパクトでない変換構造へと、再構造化すなわち変形することができる。
【００４９】
使用時には、フラップ３４、３５、３６、３７は、動作位置（図１）に移動し、互いに相対的に所定位置に固定される。そして、梱包者は、容器３０に達し、また、図１の扇のように折り畳まれたクラフト紙であるシート状の収納素材の補給品の先端４８を引き出す。これがなされると、シート状の収納素材２２は、傾斜したフラップ３４、３５、３６、３７によって規定される狭くなる空間を通って分配出口４２から出て行くときに、集められ、周辺で次第にしわくちゃになる。梱包者は、収納素材２２を分配出口４２から手の上へと引き出し、その処理において空を満たすダンネージ製品の片を形成する。
【００５０】
梱包者が、集中するフラップ３４、３５、３６、３７の間および分配出口４２から外へと収納素材２２を引き出すと、梱包者は、一般に、片の長さに沿って、離れた位置で片をつかみ、それによって、しわくちゃになった片に折り目を付けるのに役立ち、それゆえ、しわくちゃな片が、相対的に低密度な、しわくちゃ状態を維持するのに役立つ。所望の量のダンネージ２４が容器３０から引き出されると、梱包者は、輸送中に物品の移動を最小化するために、輸送カートンなどにおいて一つまたはそれより多くの物品を梱包するときに使用するために、ダンネージ片の部分を破る、切る、または他のやり方で分離する。
【００５１】
要約すれば、本発明は、収納素材自身よりも少しだけ重い、箱入りの、自己収納型ダンネージシステム２０を提供する。自己収納型ダンネージシステム２０は、箱３０が閉じられたときに空き空間が最小化されたあるいは全くない、シート状の収納素材２２の補給品を受けるような大きさの、箱または他の容器３０を有する。箱３０は、一つまたはそれより多くのフラップ３４、３５、３６、３７を有する。このフラップは、（ｉ）フラップ３４、３５、３６、３７が協同して箱３０を閉じる一般に平坦な閉鎖位置（図２）と、（ｉｉ）閉鎖位置から離れた、傾斜した動作位置（図６）との間で移動可能である。動作位置では、フラップ３４、３５、３６、３７の端は、箱３０の開放側４０から離れた分配出口４２を規定する。箱３０の開放側４０は、一般に、箱３０の側壁４４によって規定される。分配出口４２は、箱３０の開放側４０より小さい。収納素材が分配出口４２を通して箱３０から引き出されると、傾斜したフラップ３４、３５、３６、３７が、収納素材を内方に集める形成部材として働き、それによって、それが箱３０から引き抜かれるときにしわくちゃになる。
【００５２】
それゆえ、本発明は、閉じられたときにシート状の収納素材２２の補給品を効率的に収納して、それが箱３０から分配されるときに収納素材２２を相対的に密度のより低いダンネージ製品に容易に変換する構造へと変形できる、ダンネージシステム２０を提供する。
【００５３】
本発明はまた、扇のように折り畳まれた収納素材の代替の構造を提供する。図１に示すような収納素材２２の平坦な積層物よりむしろ、図７ないし図１０に示すようなシート状の収納素材１２０の積層物を折り畳む、または曲げることもできる。
【００５４】
したがって、本発明は、上記と類似の方法で、相対的に密度のより低いダンネージ製品１２４（図１０）に変換するための、シート状の収納素材１２２（図７）の補給品１２０（図７）を提供する。補給品１２０は、扇のように折り畳まれたシート状の収納素材と、積層物１２２を受けるための容器１２６とを有する。補給品１２０は、より狭いフットプリントの内部の相対的に広いシート状の収納素材１２２を提供し、それが補給品２０から引き出されるときに収納素材を形成する必要を減少させる、またはなくす。
【００５５】
積層物１２２は、好ましくは、紙、特にクラフト紙のような、単層または複層のシート状の収納素材２２を有する。積層物１２２は、幅寸法Ｗ、奥行き寸法Ｄおよび高さ寸法Ｈを有する。シート状の収納素材１２２はまた、幅寸法Ｗに一般に平行な折り目１３４を有する。収納素材はまた、好ましくは、長手方向に間隔が開いた、横切る方向に延びる切り取り線１３６に沿って穴が開いているあるいは弱くなっており、しわくちゃの片からのダンネージの個々の部位の分離を可能化および／または容易化する。切り取り線は、一般的に、折り目１３４と同一の広がりをもつ。これは、実質的に、上記の同じ収納素材２２（図１）である。
【００５６】
図８に示すように、容器１２６は、積層物１２２の幅寸法Ｗより小さい幅寸法ＣＷを有し、それゆえ、積層物１２２は、容器１２６の内部に適合するように、折り畳まれなければならない。シート状の収納素材の積層物１２２は、幅寸法Ｗを横断する軸の周りに折り畳まれる。積層物１２２は、折り畳まれて、積層物の端１３８が、上方に移動する中央部１３９に相対的に下方に移動し、反転したＵ字形状を形成する。このようにして折り畳まれた積層物１２２は、折り畳まれていない幅寸法Ｗより小さい折り畳まれた幅寸法ＦＷ、折り畳まれていない高さ寸法Ｈより大きい折り畳まれた高さ寸法ＦＨ、および、折り畳まれていない奥行き寸法Ｄと同じ折り畳まれた奥行き寸法ＦＤを有する。容器１２６はまた、高さ寸法ＣＨおよび奥行き寸法ＣＤを有する。容器の高さ寸法ＣＨと容器の奥行き寸法は、一般に、積層物１２２の折り畳まれた高さ寸法ＦＨおよび折り畳まれた奥行き寸法ＦＤとにそれぞれ対応している。
【００５７】
示した容器１２６は、底壁１４０（図１０）を有し、一つまたはそれより多くの側壁１４２、１４３、１４４、１４５は、底壁１４０の各端から延び、底壁１４０と反対側の開放側１４６に、囲われた空間を規定している。前の側壁１４３および後の側壁１４５は省くことができるが、左の側壁１４２と右の側壁１４４は、その折り畳まれた状態で、折り畳まれた積層物１２２を保持する。容器１２２はさらに、輸送または収納のために開放側１４６を閉じるために、側壁の底壁とは反対側の各端にヒンジで結合されている一つまたはそれより多くのフラップを備えてもよい。このフラップにはまた、上記の実施形態と関連して上述したように、動作位置でフラップを保持する手段が設けられてもよい。
【００５８】
示した実施形態における容器１２６は長方形であるが、他の容器形状も可能である。長方形の容器１２６は、エンドユーザへの効率的な輸送のために、容器の上に他の容器が載り、また、互いに近接して隣接するようなコンパクトな構造に、複数の容器を積層するのが容易になっている。一例の容器１２６は、段ボールでできているが、上記のような機能を容器が持てるような任意の素材が十分である。
【００５９】
図９に他の一例の容器１２６の断面を示す。この容器１２６は、底壁１４０から容器内へ延びる中央リブ１５０を有する。積層物１２２はリブ１５０の上に折り畳まれ、それにより、積層物１２２がその折り畳まれた状態を維持するのに役立つ。リブ１５０の高さは、積層物１２２において所望される折り畳みの程度に基づいて変化させることができる。
【００６０】
図１０の補給品は、折り畳まれた積層物１２２から収納素材が引き出されるときにどのように収納素材がしわくちゃになるかを示している。この実施形態は、容器１２６に中央リブを含んでいない。容器の側壁は、積層物１２２を、それが折り畳まれた状態で保持する。したがって、容器の前壁１４３（図８）が省かれ、それによって、シート状の収納素材の折り畳まれた積層物１２２を収納素材１２６に再度載せるのが容易になる。積層物１２２から引き出されたしわくちゃのダンネージ製品１２４は、梱包によって使用される準備が出来ている。
【００６１】
紙の補給品が消耗に近づくと、その重量が減少し、紙を引き抜く動作によって、容器が、その支持表面から持ち上がるかもしれない。この問題を解決して防止するために、底壁と、テーブルトップなどの支持表面との間で、容器を、ストラップ、粘着テープ、ホック・ループパターンなどで固定してもよい。
【００６２】
本発明はまた、シート状の収納素材の補給品を受けられるような大きさの容器を備えた自己収納型ダンネージシステムであって、容器が、閉鎖位置と動作位置との間で、また元の位置へと、組み立てや分解を要せずに移動可能な、相互に連結した複数のフラップを有するようなシステムを提供する。閉鎖位置では、フラップは、協同して、容器の空き空間を最小化またはまたは完全に無いようにして、容器を閉じ、動作位置では、閉鎖位置から離れて、フラップは、分配出口を規定する。分配出口は、容器の開放側より小さく、それによって、収納素材が出口を通って引き出されるときに、傾斜したフラップが内方で収納素材を集め、それによって、それが引き抜かれるときにそれがしわくちゃになる。しわくちゃのダンネージ製品は、輸送容器で空を満たすのに用いることができる。
【００６３】
本発明によって提供される容器はまた、反転されることができ、収納素材は、容器の底壁に向かってスロットを通して引き抜かれることができる。スロットは、しわくちゃにせずに収納素材を引き抜くような大きさであり、輸送容器で積層したり、輸送用の物品を包装したりするのに用いられる。このように、本発明は、収納素材の補給品を効率的に収納するとともに、箱から分配されるときに容易に収納素材を相対的に密度のより低いダンネージ製品に変換する構造へと変形されうると同時に、しわくちゃでない収納素材を分配することができるダンネージシステムを提供する。
【００６４】
図１１ないし図１７を参照して、本発明はまた、シート状の収納素材２２２を相対的に密度のより低いダンネージ製品２２４に変換する、他のダンネージシステム２２０を提供する（図１４）。システム２２０は、容器２３０の開放側２４０を閉じる閉鎖位置（図１３）と、容器２３０の開放側２４０の対応する寸法より小さい少なくとも一つの寸法を有する出口開口部２４２（図１４）を規定する、閉鎖位置から離れた動作位置（図１４）との間で移動可能である、一つまたはそれより多くのフラップ、この場合、４つのフラップ２３４、２３５、２３６、２３７、を有する箱すなわち容器２３０を有する。好ましくは、出口開口部または出口２４２は、容器の開放側２４０の幅より狭く、ここで、容器２３０の開放側２４０は、容器２３０の側壁２４４によって規定され、容器２３０の裏側すなわち底側２４６（図１７）と反対側である。
【００６５】
空き空間をエンドユーザに運搬するのは資源の非効率的な使い方であるため、開放側２４０の長さと幅とは、容器２３０がそれに合わせた大きさであるシート状の収納素材２２２の長さと幅とに実質的に類似している。結果として、システム２２０が容器２３０の内部にシート状の収納素材２２２の補給品を有するときには、容器２３０には、最小限の空き空間しか残らないか、全く空き空間が残らないようにすべきである。
【００６６】
補給品は、紙、特にクラフト紙などの、単層または複層のシート状の収納素材２２２を有する。収納素材２２２は、示すように扇のように折り畳まれた積層物の形式や、個々のシートのロールの形式や積層物の形式で提供されることができる。もし個々のシートが用いられる場合は、個々のシートは、好ましくは、白紙を綴じ込み、また、十分な長さとし、積層物からリードシートを引き出すことで次から次へと尾を引くようになる。もし一つまたはそれより多くの離れが用いられる場合は、収納ロールは、適切な回転手段によって、容器で支持されるようにすることができ、それによって、収納素材は、ロールの外側から支払われるようにすることができる。代替の構成では、収納ロールは、ロールの一つまたはそれより多くの外側の部位で支持されるようにすることができ、それによって、収納素材は、ロールの中央または内側から引き抜かれるようにすることができる。
【００６７】
シート状の収納素材の種類にかかわらず、好ましくは、収納素材は、長手方向に間隔が開いた、横切る方向に延びる切り取り線に沿って穴が開いているあるいは弱くなっており、しわくちゃの片からのダンネージの個々の部位の分離を可能化および／または容易化する。
【００６８】
示された容器は、底壁２４６（図１７）と、底壁２４６の各端から延びて、底壁２４６とは反対側の開放側２４０を有する、囲われた空間を規定する一つまたはそれより多い側壁２４４と、側壁２４４の底壁２４６とは反対側の各端にヒンジで結合された一つまたはそれより多いフラップ２３４、２３５、２３６、２３７とを備えている。示した実施形態の容器２３０は、長方形であるが、他の形の容器も可能である。一般に、容器２３０は、容器の空き空間を最小化するように、収納素材の補給品の形状に近づけるべきである。各フラップ２３４、２３５、２３６、２３７は、実質的に平坦な形状を有し、隣接する側壁２４４に垂直な各側壁２４４から延びている。側壁２４４は、底壁２４６に垂直であり、フラップ２３４、２３５、２３６、２３７が閉鎖位置にあるとき（図１３）、フラップ２３４、２３５、２３６、２３７は、一般に、互いに同じ平面内にあるすなわち平行であり、側壁２４４に垂直である。一例の容器２３０は、段ボールでできているが、上記のような機能を容器２３０が持てるような任意の素材が十分である。
【００６９】
フラップ２３４、２３５、２３６、２３７は、容器２３０の開放側２４０を閉じる閉鎖位置（図１３）と、容器２３０の開放側２４０の対応する寸法より小さい少なくとも一つの寸法を有する実質的に長方形の出口開口部すなわち分配出口２４２を規定する、閉鎖位置から離れた動作位置（図１４）との間で移動可能である。動作位置では、フラップ２３４、２３５、２３６、２３７は、出口開口部２４２を通して容器２２０から引き出されるシート状の収納素材２２２を内方に集めてしわくちゃにする。言い換えれば、動作位置では、フラップ２３４、２３５、２３６、２３７は、出口２４２から離れた側壁２４４の最上部において相対的に大きい入り口を有する集中シュートを規定し、出口開口部は入り口より相対的に小さい。
【００７０】
出口開口部２４２は、相対的に小さい面積を有するだけでなく、出口は、一般に、容器２３０の開放側２４０の幅よりも小さい幅を有する。容器２３０の開放側２４０の幅は、好ましくは、シート状の収納素材の幅に厳密に対応し、それにより、出口の幅が、収納素材の幅より小さくなる。
【００７１】
フラップ２３４、２３５、２３６、２３７が内方で収納素材２２２（図１１）の横の部位を押し進めることを確実にするために、示された容器２３０はまた、隣接するフラップを結合する手段であって、フラップ２３４、２３５、２３６、２３７が動作位置を超えて開くのを防ぐ手段を備える。固定手段は、互いに結合されたフラップを捕らえて保持するのに役立って、それゆえ収納素材が出口４２を通して引き抜かれるときにフラップが動作位置を超えて動かないようにする、接着剤または接着テープなどの一つまたはそれより多くの化学素子、および、ストラップなどの機械素子、各フラップの協同素子、磁石、ストラップ、ホック・ループファスナー、スナップ、ピンなどを有する。種々の固定手段が当業者には明らかであるが、添付図面には一つの例を示している。
【００７２】
一つの実施形態では、フラップ２３４、２３５、２３６、２３７を相互に連結するために、ツメ・スロット構成が用いられる。少なくとも一つのフラップは、他のフラップのスロット部と結合してフラップを一緒に保持するツメ部を有する。フラップ２３４、２３５、２３６、２３７は、２対で構成される４つのフラップ、すなわち、相対的に長いほうの長方形のフラップ２３５、２３７の１対と、テーパー形状か、先端を切り取った三角形形状である、相対的に短いほうのフラップ２３４、２３６の１対とを有する。フラップ２３４、２３５、２３６、２３７の各対は、示した実施形態では、平行な側壁から延びる。
【００７３】
耳すなわちツメ２５２は、短いほうのフラップ２３４、２３６の傾斜した端から延び、長いほうのフラップ２３５、２３７における傾斜したスロット２５４で受ける。スロット２５４は、ホッケーのスティックのように、２つの直線部、すなわち、主部と、一端で主部から離れて延びる延長部とを有する。延長部は、図１２に示すように、ツメ２５２をスロット２５４に取り付けるのをより容易にする。ツメ２５２およびスロット２５４は、各フラップ２３４、２３５、２３６、２３７を隣接フラップに結合する。スロット２５４は、対応するフラップにツメ２５２を結合するツメ２５２の部位よりも長い。これにより、ツメ２５２は、フラップ２３４、２３５、２３６、２３７が閉鎖位置と動作位置との間で往復するときに、スロット２５４の主部の長さに沿ってスライドすることができる。この概念を図１５および図１６にてさらに説明する。図１５では、ツメ２５２およびスロット２５４は、動作位置に対応する配置において示され、図１６では、ツメ２５２およびスロットは、閉鎖位置に対応する配置において示されている。
【００７４】
フラップ２３４、２３５、２３６、２３７が動作位置に配置されているときは、フラップ２３４、２３５、２３６、２３７のうちの一つまたはそれより多くのものの遠心端は、出口開口部２４２を規定し、また、容器２３０の開放側２４０における開口部から出口開口部２４２を離れさせる。図１４に示すように、動作位置では、傾斜した、結合されたフラップ２３４、２３５、２３６、２３７は、容器２３０に、ヒップ屋根を持ったビルの外観を与える。示した実施形態では４つのフラップ２３４、２３５、２３６、２３７が出口２４２を規定しているが、本発明によって提供される他の実施形態では、他の個数のフラップが出口開口部２４２を規定してもよい。
【００７５】
示された容器２３０は、実質的に長方形であり、エンドユーザへの効率的な輸送のために、容器の上に他の容器が載り、また、互いに近接して隣接するようなコンパクトな構造に、複数の容器を積層するのが容易になっている。容器２３０は、エンドユーザがツメ２５２をスロット２５４に取り付けることを要することなく、閉鎖位置でのフラップ２３４、２３５、２３６、２３７のコンパクトな輸送構造から、動作位置でのフラップ２３４、２３５、２３６、２３７の、それよりもコンパクトでない変換構造へと、再構造化すなわち変形することができる。同様に、容器３０は、２５２をスロット２５４から取り外すことなく、動作位置から、よりコンパクトな閉鎖位置へと、フラップ２３４、２３５、２３６、２３７を移動させることによって、再構造化することができる。
【００７６】
使用時には、フラップ２３４、２３５、２３６、２３７は、動作位置に移動し、梱包者は、容器２３０に達し、また、扇のように折り畳まれたクラフト紙などのシート状の収納素材の補給品の先端２４８を引き出す。これがなされると、シート状の収納素材２２２は、傾斜したフラップ２３４、２３５、２３６、２３７によって規定される狭くなる空間を通って分配出口２４２から出て行くときに、集められ、周辺で次第にしわくちゃになる。梱包者は、収納素材２２２を分配出口２４２から手の上へと引き出し、その処理において空を満たすダンネージ製品の片を形成する。梱包者が、集中するフラップ２３４、２３５、２３６、２３７の間および分配出口２４２から外へと収納素材２２２を引き出すと、梱包者は、一般に、片の長さに沿って、離れた位置で片をつかみ、それによって、しわくちゃになった片に折り目を付けるのに役立ち、それゆえ、しわくちゃな片が、相対的に低密度な、しわくちゃ状態を維持するのに役立つ。所望の量のダンネージ２２４が容器２３０から引き出されると、梱包者は、輸送中に物品の移動を最小化するために、輸送カートンなどにおいて一つまたはそれより多くの物品を梱包するときに使用するために、ダンネージ片の部分を破る、切る、または他のやり方で分離する。
【００７７】
示した実施形態では、容器２３０はまた、シート状の収納素材と実質的に同じ幅の側壁にスロット２６０を有し、それによって、補給品から収納素材を、しわくちゃにすることなく引き抜くことができる。図１３に示した実施形態では、スロット２６０は、輸送中にプルタブ２６２によって閉じられ、使用される準備が出来る。プルタブ２６２は、平行な、離れた線に沿って、容器２３０に穴を開けることによって、容器２３０の側壁に一体的に形成される。プルタブ２６２を除去すると、図１７に示すように、スロット２６０が出来る。スロット２６０は、通常、容器２３０の底壁２４６に向かって形成され、それによって、容器が反転されることができ、また、相対的にしわくちゃでない保護包装素材としての使用のために、シート状の収納素材が、スロット２６０を通って、シート状の収納素材の積層物の底であるものから引き出されることができる。そして、容器２３０は、再度反転されることができ、また、しわくちゃの収納素材が、再び、空を満たすダンネージとして出口開口部２４２を通して引き出されることができる。
【００７８】
要約すれば、本発明は、収納素材自身よりも少しだけ重い、箱入りの、自己収納型ダンネージシステム２２０を提供する。自己収納型ダンネージシステム２２０は、箱２３０が閉じられたときに空き空間が最小化されたあるいは全くない、シート状の収納素材２２２の補給品を受けるような大きさの、箱または他の容器２３０を有する。箱２３０は、一つまたはそれより多くのフラップ２３４、２３５、２３６、２３７を有する。このフラップは、フラップ２３４、２３５、２３６、２３７が協同して箱２３０を閉じる一般に平坦な閉鎖位置（図１３）と、閉鎖位置から離れた、傾斜した動作位置（図１４）との間で移動可能である。動作位置では、フラップ２３４、２３５、２３６、２３７の端は、箱２３０の側壁２４４によって規定される箱２３０の開放側２４０から離れた分配出口２４２を規定する。分配出口２４２は、箱２３０の開放側２４０より小さく、それゆえ、収納素材が分配出口２４２を通して箱２３０から引き出されると、傾斜したフラップ２３４、２３５、２３６、２３７が、収納素材を内方に集める形成部材として働き、それによって、それが箱２３０から引き抜かれるときにしわくちゃになる。それゆえ、本発明は、閉じられたときにシート状の収納素材２２２の補給品を効率的に収納して、それが箱２３０から分配されるときに収納素材２２２を相対的に密度のより低いダンネージ製品に容易に変換する構造へと変形できる、ダンネージシステム２２０を提供する。
【００７９】
さらに、出口開口部２４２を通してシート状の収納素材２２２を引き出し、それが開口部を通って引き出されるときに収納素材をしわくちゃにすることに加えて、
本発明は、
容器２３０を反転させることによって、
分配出口からシート状の収納素材を取り外すことなく、シート状の収納素材２２２を、シート状の収納素材の積層物の反対側から引き出し、スロット２６０を通してそれを供給することを提供する。スロット２６０を通って引き出される収納素材は、シート状の収納素材２２２の幅と実質的に同じかそれより大きい幅を持ち、スロット２６０を通って引き出されるときに、しわくちゃでないままである。容器２３０は、その後再度反転されて、しわくちゃの収納素材を分配出口２４２から引き出するために戻ることができる。
【００８０】
このように、本発明は、シート状の収納素材の補給品を受けられるような大きさの容器を備えた自己収納型ダンネージシステムを提供する。容器は、閉鎖位置と動作位置との間で、組み立てや分解を要せずに移動可能な、相互に連結した複数のフラップを有する。閉鎖位置では、フラップは、協同して、容器の空き空間を最小化またはまたは完全に無いようにして、容器を閉じ、動作位置では、閉鎖位置から離れて、フラップは、分配出口を規定する。分配出口は、容器の開放側より小さく、それによって、収納素材が出口を通って引き出されるときに、傾斜したフラップが内方で収納素材を集め、それによって、それが引き抜かれるときにそれがしわくちゃになる。容器はまた、反転されることができ、収納素材は、容器の底壁に向かってスロットを通して引き抜かれることができる。スロットは、しわくちゃにせずに収納素材を引き抜くような大きさである。
【００８１】
したがって、これらの、シート状の収納素材の補給品は、相対的に広い収納素材を用い、相対的に高い密度および容積という利点を有するダンネージ製品を生成する。このようにしなければ、相対的に高い密度および容積は、一般的には、より狭い収納素材からは不可能である。折り畳まれた積層物からシート状の収納素材を引き出すことはまた、それがダンネージ変換装置を通して引き出されるときに収納素材を形成する必要を減少させるか、または、なくすので、それによって、変換システムのサイズが減少する。
【００８２】
このように、本発明は、箱３０が閉じたときには、最小限の空き空間を持つかまたは空き空間を全く持たないシート状の収納素材の補給品を受けられるような大きさの箱３０を備えた、（図１および図２）を参照した、自己収納型ダンネージシステム２０を提供する。箱３０は、フラップが協同して箱３０を閉じる一般に平坦な閉鎖位置（図２）と、閉鎖位置から離れた傾斜した動作位置（図１）との間で移動可能な一つまたはそれより多いフラップ３４、３５、３６、３７を有する。動作位置では、フラップ３４、３５、３６、３７の端は、箱３０の側壁４４によって規定される箱３０の開放側から離れた分配出口４２を規定する。分配出口４２は箱３０の開放側より小さく、それによって、収納素材が出口４２を通して箱３０から引き出されるときに、傾斜したフラップ３４、３５、３６、３７が、収納素材を内方に集める形成部材として働き、収納素材が箱３０から引き抜かれるときに収納素材がしわくちゃになる。
【００８３】
本発明は、示した特定の実施形態に関して示し記述されたが、明細書や添付の図面を読んで理解すれば、等価の代替物や修飾物が、当業者に発生するであろう。上記の完全体（成分、組み立て品、装置、複合品など）によって実行される種々の機能に特に関し、このような完全体を記述するのに用いられる用語（「手段」への言及を含む）は、他に指示されない限り、たとえ本発明のここで示した実施形態での機能を実行する記載された構造とは構造的に等価でなくても、特定の（すなわち、機能的に等価な）機能を実行する任意の完全体に対応する。
【００８４】
まとめると、本発明は、以下の項に記載する一つまたはそれより多くの特徴を提供する。
項Ａ．
ダンネージシステムであって、上記ダンネージシステムは、収納素材を受ける容器を備え、
上記容器は、移動可能フラップが上記容器の開放側を少なくとも部分的に閉じる閉鎖位置と、上記閉鎖位置から外方に離れた動作位置との間で移動可能な、少なくとも一つの移動可能フラップを有し、
上記移動可能フラップが上記動作位置にあるとき、上記移動可能フラップは、上記容器の開放側の対応する寸法よりも小さい少なくとも一つの寸法を有する出口開口部の側面を規定することを特徴とするダンネージシステム。
項Ｂ．
上記容器は、シート状の収納素材の補給品を含むようなサイズであり、
上記容器は、底壁と、底壁の各端から延びて、底壁とは反対側の開放側を有する、囲われた空間を規定する一つまたはそれより多い側壁と、側壁の底壁とは反対側の各端から延びる複数のフラップとを備え、
上記フラップは、上記出口開口部から離れた側壁の最上部において相対的に大きい入り口を有する集中シュートを規定し、上記出口開口部は入り口より相対的に小さく、
上記動作位置では、上記フラップは、上記出口開口部を通して上記容器から引き出されるシート状の収納素材を内方に集めてしわくちゃにすることを特徴とする項Ａに記載のダンネージシステム。
項Ｃ．
動作位置では、フラップの遠心端が出口開口部を規定し、出口開口部は、容器の開放側の対応する寸法より小さい少なくとも一つの寸法を有し、
動作位置では、フラップは、出口開口部を通して容器から引き出されるシート状の収納素材を内方に集めてしわくちゃにすることを特徴とする項Ａまたは他の任意の項に記載のダンネージシステム。
項Ｄ．
動作位置でフラップを固定する手段を備えたことを特徴とする項Ｂまたは他の任意の項に記載のダンネージシステム。
項Ｅ．
フラップが動作位置を超えて移動するのを防ぐ手段を備えたことを特徴とする項Ａまたは他の任意の項に記載のダンネージシステム。
項Ｆ．
動作位置で各フラップが、隣接するフラップと結合することを特徴とする項Ｂまたは他の任意の項に記載のダンネージシステム。
項Ｇ．
一つのフラップがツメ部を有し、他の一つのフラップが、上記ツメ部を受けるような大きさのスロットを有していることを特徴とする項Ｂまたは他の任意の項に記載のダンネージシステム。
項Ｈ．
スロット部がツメ部より実質的に長く、
それによって、ツメ部をスロット部から移動させることなく、フラップが、実質的に平坦な閉鎖位置と、動作位置との間で、移動できることを特徴とする項Ｇまたは他の任意の項に記載のダンネージシステム。
項Ｉ．
容器の側壁は、底壁に垂直であり、
フラップが閉鎖位置にあるとき、フラップは、側壁に垂直であることを特徴とする項Ｂまたは他の任意の項に記載のダンネージシステム。
項Ｊ．
出口開口部は移動可能のフラップの遠心端により規定され、容器の開放側の開口部から出口開口部を離していることを特徴とする項Ａまたは他の任意の項に記載のダンネージシステム。
項Ｋ．
動作位置で、フラップが、傾斜した集中壁を規定することを特徴とする項Ａまたは他の任意の項に記載のダンネージシステム。
項Ｌ．
２つまたはそれより多いフラップが、フラップの２対を有し、
各フラップが、隣接壁に垂直な各壁から延び、
フラップの各対が、平行壁から延びることを特徴とする項Ａまたは他の任意の項に記載のダンネージシステム。
項Ｍ．
閉鎖位置で、フラップは互いに実質的に平行に延びることを特徴とする項Ａまたは他の任意の項に記載のダンネージシステム。
項Ｎ．
少なくとも一つのフラップは、ツメが延びて他のフラップのスロットで受け止められるようなテーパー形状を有することを特徴とする項Ａまたは他の任意の項に記載のダンネージシステム。
項Ｏ．
少なくとも一つのフラップは、フラップが動作位置にあるときに他のフラップのツメ部を受けて保持するような非直線のスロットを有することを特徴とする項Ａまたは他の任意の項に記載のダンネージシステム。
項Ｐ．
各フラップは、実質的に平坦な形状を有することを特徴とする項Ａまたは他の任意の項に記載のダンネージシステム。
項Ｑ．
動作位置への移動中に、移動可能のフラップが、出口開口部の少なくとも一つの寸法を増加させることを特徴とする項Ａまたは他の任意の項に記載のダンネージシステム。
項Ｒ．
容器が、
互いに対し相互に連結可能な複数のフラップであって、容器の開放側から出口開口部に向かってテーパー状の構造を形成する、フラップを有することを特徴とする項Ａまたは他の任意の項に記載のダンネージシステム。
項Ｓ．
容器の内部にシート状の収納素材の補給品を備え、
シート状の収納素材が幅寸法を有し、
容器が、収納素材の幅寸法と実質的に同じ幅寸法を有し、
容器がさらに、実質的に平坦な閉鎖位置で２つまたはそれより多いフラップによって閉じられた開放側を有し、
フラップが互いに結合され、
フラップは、
フラップが閉鎖位置から離れて、容器の開放側から離れた出口開口部を形成し、そこを通してしわくちゃの収納素材を分配するような、動作位置に移動可能であり、
開口部は、容器の幅寸法より小さい幅寸法を有することを特徴とする項Ａまたは他の任意の項に記載のダンネージシステム。
項Ｔ．
シート状の収納素材の補給品は、シート状の収納素材の、扇のように折り畳んだ積層物、または、ロールのうちの少なくとも一つを有していることを特徴とする項Ａまたは他の任意の項に記載のダンネージシステム。
項Ｔ．
補給品は、分配出口と一直線の縦軸を有する、シート状の収納素材のロールを有することを特徴とする項Ａまたは他の任意の項に記載のダンネージシステム。
項Ｖ．
開放側から離れたスロットを備え、
上記スロットは、容器の幅寸法に実質的に平行に延び、しわくちゃでない収納素材を引き抜くことを特徴とする項Ａまたは他の任意の項に記載のダンネージシステム。
項Ｗ．
相対的に密度のより低いダンネージ製品に変換されるシート状の収納素材の補給品であって、
容器と、
一般的に平行な折り目に沿ってそれ自身で扇のように折り畳まれるシート状の収納素材の積層物とを備え、
上記積層物が、上記収納素材において上記折り目に垂直な軸に対してそれ自身で折り畳まれ、
上記積層物が、上記容器によって、その折り畳まれた構造で維持されていることを特徴とする補給品。
項Ｘ．
積層物は、折り畳まれる前には、折り畳まれない幅寸法を有し、
収納素材は、幅寸法に一般的に平行な折り目を有し、
容器は、幅寸法を有し、
容器の幅は、積層物の折り畳まれない幅より小さいことを特徴とする項Ｂ３または項Ｂ３に従属する他の任意の項に記載の補給品。
項Ｙ．
積層物は、容器の内部に折り畳まれて、反転したＵ字形状を有することを特徴とする項Ｂ３または項Ｂ３に従属する他の任意の項に記載の補給品。
項Ｚ．
容器は、積層物が折り畳まれる容器内に延びる中央リブを有することを特徴とする項Ｂ３または項Ｂ３に従属する他の任意の項に記載の補給品。
項ＡＡ．
ダンネージシステムであって、上記ダンネージシステムは、容器を備え、
上記容器は、平坦側を規定する最上部を有し、
上記最上部は、
上記容器の側面に垂直な閉鎖位置から、
上記最上部が動作位置に移動するときに、少なくとも一つの寸法において増加する出口開口部を上記最上部が規定する、外方に離れた動作位置へと、移動可能であることを特徴とするダンネージシステム。
項ＡＢ．
梱包方法であって、
（ａ）容器の開口部を通してシート状の収納素材を引き出すステップであって、上記開口部は上記容器より小さく、シート状の収納素材は、上記開口部を通して引き出されるときにしわくちゃである、ステップと、
（ｂ）上記容器を反転させるステップと、
（ｃ）シート状の収納素材の幅と実質的に等しいかそれより大きい幅を有する、上記容器のスロットを通して、シート状の収納素材を引き出すステップであって、それによって、シート状の収納素材が、上記スロットを通して引き出されるときにしわくちゃでないままである、ステップと、を有することを特徴とする梱包方法。
【図面の簡単な説明】
【００８５】
【図１】シート状の収納素材の補給品とともに動作する、本発明によって供給されるダンネージシステムの側面斜視図である。
【図２】コンパクトな、閉じた収納位置での図１のダンネージシステムの側面斜視図である。
【図３】シート状の収納素材の補給品を受ける準備が出来た開放状態の図１のダンネージシステムの末端斜視図である。
【図４】図３のダンネージシステムの側面斜視図である。
【図５】動作状態の図１のダンネージシステムの末端斜視図である。
【図６】図５のダンネージシステムの側面斜視図である。
【図７】ダンネージ製品への変換に適した、１層の、扇のように折り畳まれたシート状の収納素材の補給品の斜視図である。
【図８】本発明に係る、容器への挿入のために折り畳まれた図７のシート状の収納素材の補給品の斜視図である。
【図９】本発明に係る、容器内の折り畳まれたシート状の収納素材の補給品の横断面図である。
【図１０】内部で折り畳まれたシート状の収納素材を示すために容器の前壁がはずされた、本発明に係り提供されるダンネージシステムの斜視図である。
【図１１】シート状の収納素材の補給品を受けるために開放された容器を示す、本発明に係よって提供されるダンネージシステムの斜視図である。
【図１２】図１１のダンネージシステムの２つのフラップの間の結合形態の拡大図である。
【図１３】閉じた構造における図１１のダンネージシステムの斜視図である。
【図１４】動作構造における図１３のダンネージシステムの斜視図である。
【図１５】図１４の動作構造におけるツメとスロットの配置の拡大図である。
【図１６】図１３の閉じた構造におけるツメとスロットの配置の拡大図である。
【図１７】しわくちゃでない収納素材を引き抜くための、反転した構造における図１１のダンネージシステムの斜視図である。
【図１】
2013518007.tif 000003
【図２】
2013518007.tif 000004
【図３】
2013518007.tif 000005
【図４】
2013518007.tif 000006
【図５】
2013518007.tif 000007
【図６】
2013518007.tif 000008
【図７】
2013518007.tif 000009
【図８】
2013518007.tif 000010
【図９】
2013518007.tif 000011
【図１０】
2013518007.tif 000012
【図１１】
2013518007.tif 000013
【図１２】
2013518007.tif 000014
【図１３】
2013518007.tif 000015
【図１４】
2013518007.tif 000016
【図１５】
2013518007.tif 000017
【図１６】
2013518007.tif 000018
【図１７】
2013518007.tif 000019
【国際調査報告】
2013518007.tif 000020
2013518007.tif 000021
2013518007.tif 000022
2013518007.tif 000023
2013518007.tif 000024